(57)【要約】  イオン発生装置を取付けるのに際し、他機器と干渉し難い取付け構造とし、乗りかごのサイズ変更を必要とせずイオン発生装置の取付け位置の自由度を向上できる乗りかご及びエレベーター装置を提供する。  本発明に係る乗りかご及びエレベーター装置のイオン発生装置（１５）は、イオン発生装置（１５）の外形より大きな板体（１８）に固定され、天井内枠（１３）に設けられたイオン発生装置（１５）の外形よりも大きく板体（１８）よりも小さい切欠き穴を通して天井内枠（１３）の空間（２５）に対する裏面側からイオン発生装置（１５）を空間（２５）に位置させて固定した。
2012127613.tif 000002
【特許請求の範囲】
【請求項１】
かご床と、前記かご床の周囲に立設された側板と、前記側板上に設けられた外天井板と、前記外天井板の下方に前記側板と対向するように設けられた天井内枠と、前記天井内枠の下方側に設けられた内天井部と、前記外天井板の上方に設けられた送風ファンとを備えた乗りかごにおいて、
前記送風ファンからの風は前記外天井板、前記天井内枠、前記側板で形成された空間を通して前記乗りかご内に供給され、
イオン発生装置は前記イオン発生装置の外形より大きな板体に固定され、前記天井内枠に設けられた前記イオン発生装置の外形よりも大きく前記板体よりも小さい切欠き穴を通して前記天井内枠の前記空間に対する裏面側から前記イオン発生装置を前記空間に位置させて固定したことを特徴とする乗りかご。
【請求項２】
請求項１において、前記イオン発生装置は周囲を覆うカバー体に取付けられ、前記カバー体を前記板体に取付けることで、前記イオン発生装置が前記板体に固定されていることを特徴とする乗りかご。
【請求項３】
請求項１乃至２のいずれかにおいて、前記板体に点検用窓を設けたことを特徴とする乗りかご。
【請求項４】
請求項３において、前記板体に点検用窓は切欠きにより構成されており、前記点検用窓を開閉自在に覆う点検窓塞ぎ部材を設けたことを特徴とする乗りかご。
【請求項５】
昇降路内を昇降する乗りかごと、前記乗りかごを駆動する駆動装置とを備えたエレベーター装置において、
前記乗りかごは、かご床と、前記かご床の周囲に立設された側板と、前記側板上に設けられた外天井板と、前記外天井板の下方に前記側板と対向するように設けられた天井内枠と、前記天井内枠の下方側に設けられた内天井部と、前記外天井板の上方に設けられた送風ファンとを備え、
前記送風ファンからの風は前記外天井板、前記天井内枠、前記側板で形成された空間を通して前記乗りかご内に供給され、
イオン発生装置は前記イオン発生装置の外形より大きな板体に固定され、前記天井内枠に設けられた前記イオン発生装置の外形よりも大きく前記板体よりも小さい切欠き穴を通して前記天井内枠の前記空間に対する裏面側から前記イオン発生装置を前記空間に位置させて固定したことを特徴とするエレベーター装置。
【発明の詳細な説明】
【技術分野】
【０００１】
本発明は、イオン発生装置が取付けられた乗りかご及びエレベーター装置に関する。
【背景技術】
【０００２】
近年、イオンを生成して放出することにより、ストレスや不快感を緩和したり、ウイルスやカビ、アレルギー疾患の原因となるアレルゲンを無害化したりできるイオン発生器がいろいろな用途に採用されており、例えば、不特定多数の人が利用するエレベーターにイオン発生器を設置する要求が高まってきている。しかしながら、エレベーターの乗りかごにイオン発生器を設置する場合に、利用者の利便性を考慮すると乗りかごの床に配置することは避ける必要があるので、イオン発生器を乗りかごの壁あるいは天井に実装することが必須となるとともに、乗りかご内の美観を損なわぬようできるだけ小型化する必要がある。【０００３】
そこで、従来、イオン発生器をエアコンや空気清浄器などの送風機能を有する機器と併用し、ファンなどの送風部やこれを駆動するモータなどの駆動部を省いて小型化を図り、使い易くするとともにコストダウンが図れるものが提案されている。例えば、イオン発生器と換気装置を可とう性のあるチューブにより連結し、換気装置のファンを利用してイオンを乗りかご内に送出するものがある（例えば、特許文献１参照）。
【先行技術文献】
【特許文献】
【０００４】
【特許文献１】特開２００４−９１０５４号公報
【発明の概要】
【発明が解決しようとする課題】
【０００５】
特許文献１によれば、可とう性のホースによりかご室上に設置したファンの脇に消臭装置（イオン発生装置）を設置する必要がなく、消臭装置（イオン発生装置）の設置箇所の自由度が向上できるように見える。しかしながら、特許文献１のような構造では、エレベーターのサイズや付加仕様機器の位置によって、消臭装置（イオン発生装置）は付加仕様機器やファンとの干渉の問題があり、任意の位置に設置できず、乗りかご上高さ寸法を見直す等の問題が生じる可能性がある。【０００６】
また、本構造はかご室上に消臭装置（イオン発生装置）を設置する構造であるが、消臭装置（イオン発生装置）の点検や交換時にかご室上に保守員が乗込む必要があるため、このような保守にかかる時間が長くなり、エレベーターの利用制限時間が長くなる等の問題がある。【０００７】
本発明は前記課題に鑑み為されたものであり、イオン発生装置を取付けるのに際し、他機器と干渉し難い取付け構造とし、乗りかごのサイズ変更を必要とせずイオン発生装置の取付け位置の自由度を向上できる乗りかご及びエレベーター装置を提供することを目的とする。
【課題を解決するための手段】
【０００８】
前記目的を達成するために、本発明に係る乗りかご及びエレベーター装置は、かご床と、前記かご床の周囲に立設された側板と、前記側板上に設けられた外天井板と、前記外天井板の下方に前記側板と対向するように設けられた天井内枠と、前記天井内枠の下方側に設けられた内天井部と、前記外天井板の上方に設けられた送風ファンとを備え、前記送風ファンからの風は前記外天井板、前記天井内枠、前記側板で形成された空間を通して前記乗りかご内に供給され、イオン発生装置は前記イオン発生装置の外形より大きな板体に固定され、前記天井内枠に設けられた前記イオン発生装置の外形よりも大きく前記板体よりも小さい切欠き穴を通して前記天井内枠の前記空間に対する裏面側から前記イオン発生装置を前記空間に位置させて固定したことを特徴とする。
【発明の効果】
【０００９】
本発明によれば、イオン発生装置を取付けるのに際し、他機器と干渉し難い取付け構造とし、乗りかごのサイズ変更を必要とせずイオン発生装置の取付け位置の自由度を向上できる乗りかご及びエレベーター装置を提供できる。
【図面の簡単な説明】
【００１０】
【図１】本発明の一実施形態に係るエレベーター装置の概要を示す正面断面図である。
【図２】本発明の一実施形態に係るかご室の概要を示す斜視図である。
【図３】本発明の一実施形態に係るかご室の縦断面図である。
【図４】本発明の一実施形態に係るイオン発生装置ユニットの概要を示す正面断面図である。
【図５】本発明の一実施形態に係るかご室天井の概要を示す正面断面図である。
【図６】図５におけるＡ部拡大図である。
【図７】本発明の一実施形態に係るイオン発生装置ユニットの取付状態を示す正面透視図である。
【発明を実施するための形態】
【００１１】
図１は本発明の一実施形態に係るエレベーター装置の概要を示す正面断面図である。同図に示すエレベーター装置１００は、昇降路１内に敷設されたガイドレール２に案内されて昇降路１内を昇降する乗りかご３及び釣合い錘４と、これらをつるべ式に連結する主ロープ５と、この主ロープ５を昇降路１の頂部で巻き掛けて駆動する駆動装置としての巻上機６とを備えている。なお、巻上機６を設ける位置としてはこれに限られるものではなく、機械室を設けないエレベーター装置の昇降路１内部に配置するなどの主ロープ５のローピングにより様々な位置に配置することが可能である。乗りかご３は、かご枠７と、かご室８とから構成されている。
【００１２】
図２はかご室８の概要を示す斜視図である。かご室８の構造は、同図に示すように、天井９と、かご床１０と、かご床１０の周囲に立設される側板１１とにより構成されている。また、図３はかご室８の縦断面図である。同図に示すように、天井９は外天井板１２により構成されており、外天井板１２は側板１１上に設けられている。天井内枠１３は外天井板１２の下方に側板１１と対向するように設けられ、天井内枠１３の下方側には内天井部２１が設けられている。このように本実施形態における乗りかご３は二重天井構造となっている。また、外天井板１２、天井内枠１３、側板１１で形成された空間２５上部の外天井板１２には通風口を設け、その通風口に送風口を合わせて送風ファン１４を設けている。つまり送風ファン１４は外天井板の上方に設けられ、送風ファン１４からの風は、空間２５を通して乗りかごのかご室８内に供給される。そして、本実施形態では、空間２５にイオン発生装置ユニット１９を設けている。
【００１３】
図４は、イオン発生装置ユニット１９の概要を示す正面断面図である。本実施形態では、イオン発生装置１５を、イオン発生装置１５のカバー体であるカバー１６にボルトで固定している。カバー１６はイオン発生装置１５の外形より大きく、イオン発生装置１５の一面を除く周囲を覆う形状となっている。そしてカバー１６には、イオン発生装置１５で発生したイオンを吐出するためのイオン吐出口１７より大きい直径の吐出口用切欠き穴を設け、イオン発生装置１５はこの吐出口用切欠き穴からイオン吐出口１７をカバー１６の外部に露出させた状態でカバー１６に固定されている。さらにイオン発生装置１５のカバー１６で覆われていない一面を、カバー１６の外形より大きい板体である取付板１８で覆い、取付板１８とカバー１６をボルトで固定している。このように本実施形態におけるイオン発生装置１５は、イオン発生装置１５の外形より大きな板体である取付板１８に固定されている。このような状態でイオン発生装置ユニット１９が構成されている。本実施形態ではこのようなカバー１６と取付板１８とで構成されるケースによりイオン発生装置１５の周囲が覆われるため、イオン発生装置１５への異物等の混入が防止され、長寿命化を図ることが可能である。また、空間２５は、通常かご室内の意匠性を向上するため、空間２５を囲む部材及び空間２５内に配置したものが目立たないような工夫がされている。そのため、空間２５を囲む部材及び内部に配置される部材で色彩統一するなどしているが、イオン発生装置１５等は適用されるエレベーター装置ごとに外観の色彩を変更するとなると作業性が悪化してしまう。しかし、上記のようにカバー１６で囲む構成とすることで、カバー１６によって色彩を統一することができ、イオン発生装置１５等は適用されるエレベーター装置ごとに空間２５を囲む部材での色彩の統一が容易となり、より意匠性を向上することができる。
【００１４】
図５はかご室８の天井９の概要を示す正面断面図である。同図に示すように、外天井板１２の上方で、送風ファン１４の近傍には、イオン発生装置１５の電源装置２２が配置されている。また、外天井板１４の下面で、天井内枠１３と内天井部２１とで囲まれた空間内にはかご室内の照明装置２３が設けられている。本実施形態では、内天井部２１は照明装置２３を覆うアクリル板等で構成されており、天井内枠１３の下端で保持されている。
【００１５】
図６は図５におけるＡ部拡大図である。同図に示すように、本実施形態における天井内枠１３は天井部分から垂下する垂下部材１３ａと垂下部材１３ａの下部に取り付けられた内天井部保持部材１３ｂとから構成されている。そして内天井部２１は照明装置２３の保守や交換等で取外し可能となっている。
【００１６】
本実施形態では、イオン発生装置１５及びカバー１６の外形よりも大きく、取付板１８よりも小さい切欠き穴を垂下部材１３ａ設け、この切欠き穴を通して天井内枠１３の空間２５に対する裏面側、即ち内天井部２１が設けられた側の面からイオン発生装置１５を空間２５に位置させて、取付板１８と垂下部材１３ａの切欠き穴の周囲部分を重ね、この重なり部分をボルト等で共締めしてイオン発生装置ユニット１９を天井内枠１３に固定している。このような取付構造を採ることにより、エレベーターのサイズ、付加仕様機器位置によって、イオン発生装置１５と送風ファン１４の干渉の問題がある場合においても、乗りかご上寸法を変更することなくイオン発生装置１５を取付け可能とできる。
【００１７】
また、前述の構造において、天井内枠１３に設ける切欠き穴は天井内枠１３の任意の位置に設けることができ、イオン発生装置１５を切欠き穴より天井内枠１３と側板１１の間に露出させ、イオン発生装置ユニット１９を天井内枠１３へ取付けることができるので、取り付け場所の自由度が向上される。なお、本実施形態では、照明装置２３が設けられた外天井板１２と天井内枠１３及び内天井部２１に囲まれた空間からイオン発生装置１５が取付けられる構造となるが、取付板１８は、天井内枠１３に設けた切欠き穴より十分に大きくし、取付板１８にて前述の切欠き穴を塞ぐことにより、切欠き穴からの天井照明の光漏れを防止して、空間２５への光漏れによる意匠性の悪化を防止することができる。
【００１８】
さらに上記取付構造を採ることによって、イオン発生装置１５にアクセスするために、保守員や作業員が天井９上部に乗り込む必要はなく、内天井部２１を取外し、かご室８内からイオン発生装置１５にアクセスすることが可能となる。そして、このことにより、かご室８内よりイオン発生装置ユニット１９のみを着脱可能とすることで、イオン発生装置１５の点検および交換作業を簡易化し、点検および交換作業時のエレベーターの利用停止時間を短縮することが可能となる。
【００１９】
なお、天井内枠１３へのイオン発生装置ユニット１９の取付位置としては任意に設置することができることは説明したが、送風ファン１４から送風される風がかご室内部に吹き抜ける風路上に設けるとかご室内に良好にイオンが供給されるため、このような位置関係に近づけるように設置するとよい。
【００２０】
図７は、イオン発生装置ユニット１９の取付状態を示す正面透視図である。本実施形態では、同図に示すように、取付板１８に点検用窓２４として切欠きを設けている（図７中に二点鎖線で表示）。そして、この点検用窓２４を開閉自在に覆う点検窓塞ぎ部材２０が設けられている。点検用窓２４はイオン発生装置１５の定期点検部近傍に設け、点検窓塞ぎ板２０はビスにて固定する。
【００２１】
定期点検部としては、イオン発生装置１５として最も故障頻度の高い部分や動作補償時間が短い部材等とするのがよく、本実施形態では最も動作寿命の短い冷却ファンの動作確認が可能なように点検用窓２４を設けている。
【００２２】
また、本実施形態では点検窓塞ぎ板２０をビス固定するための固定穴２６の形状は、ビス固定に適切な穴径とビス頭部よりも大きい穴径を連続したダルマ型形状としている。このことにより、点検窓塞ぎ板２０はビスを完全に外すことなく、少し緩めることで点検窓塞ぎ板２０を上方に持ち上げ、容易に着脱可能となり、前述の点検用窓２４よりイオン発生装置１５の点検を実施することができ、イオン発生装置１５の点検作業を簡易化し、点検時のエレベーターの利用停止時間を短縮することが可能となっている。特に点検用窓を取付板１８に設ける構成により、点検のたびに取付板１８を天井内枠１３から取外して点検を行うと言う作業を行う必要がないため、点検時のエレベーターの利用停止時間の大幅な短縮が可能となる。
【００２３】
以上、説明したように本実施形態に係る乗りかご３及びエレベーター装置１００によれば、エレベーターのサイズや付加仕様機器の位置に係らず、乗りかご上高さ寸法を変更することなく、イオン発生装置を取付け可能とし、またイオン発生装置の点検や交換時にエレベーターの利用停止時間の短縮ができるエレベーター装置を得ることができる。
【００２４】
なお、本実施形態ではイオン発生装置１５をケース１６により周囲を覆い、ケース１６を介して取付板１８にイオン発生装置１５を取付ける構成としたが、異物等の混入に対して対処が不要であったり、別の方法で対処したりする場合には取付板１８に直接イオン発生装置１５を取付ける構造であってもよい。
【００２５】
また、本実施形態では、空間２５とかご室８内の境界部分を開放しているが、ここを板材などで閉じてもよい。この場合には、この閉じられた空間より送風ファン１４から送風された風が吹き出す吹き出し口を設けたり、境界を塞ぐ板材に吹き出し孔を複数設けるような構成であってもよい。
【００２６】
また、本実施形態では点検用窓として切欠きを設け、それを塞ぐ点検窓塞ぎ部材２０を設けたが、点検を容易とすることを目的とするのであれば、切欠き部を透明部材で構成したり、カバー１６や取付板１８等を透明な部材で構成して目視可能な構成としてもよい。
【００２７】
さらに、本実施形態では取付板１８に点検用窓を設けたが、カバー１６に設ける構成であってもよい。このような構成であっても、取付板１８を取外し、カバ１６の点検窓から点検することが可能となり、点検のための時間短縮が可能である。
【００２８】
また、本実施形態では点検窓塞ぎ板２０をビス固定する形態を例に挙げて説明したが、本発明はこれに限られるものではなく、例えば点検窓塞ぎ板２０の下端に蝶番を設け、上端を磁石で着脱自在として開閉する構成や、磁石の代わりにレバー等で開閉させる構成、取付板１８の点検窓塞ぎ板２０の左右周縁を保持する摺動溝を設け、その摺動溝に点検窓塞ぎ板２０をスライドさせて開閉させる構成など様々な形態を採ることも可能である。
【符号の説明】
【００２９】
１…昇降路、２…ガイドレール、３…乗りかご、４…釣合い錘、５…主ロープ、６…巻上機、７…かご枠、８…かご室、９…天井、１０…かご床、１１…側板、１２…外天井板、１３…天井内枠、１３ａ…垂下部材、１３ｂ…内天井部保持部材、１４…送風ファン、１５…イオン発生装置、１６…カバー、１７…イオン吐出口、１８…取付板、１９…イオン発生装置ユニット、２０…点検窓塞ぎ部材、２１…内天井部、２２…電源装置、２３…照明装置、２４…点検用窓、２５…空間、２６…固定穴、１００…エレベーター装置。
【図１】
2012127613.tif 000003
【図２】
2012127613.tif 000004
【図３】
2012127613.tif 000005
【図４】
2012127613.tif 000006
【図５】
2012127613.tif 000007
【図６】
2012127613.tif 000008
【図７】
2012127613.tif 000009
【手続補正書】
【提出日】平成23年7月22日(2011.7.22)
【手続補正１】
【補正対象書類名】特許請求の範囲
【補正対象項目名】全文
【補正方法】変更
【補正の内容】
【特許請求の範囲】
【請求項１】
かご床と、前記かご床の周囲に立設された側板と、前記側板上に設けられた外天井板と、前記外天井板の下方に前記側板と対向するように設けられた天井内枠と、前記天井内枠の下方側に設けられた内天井部と、前記外天井板の上方に設けられた送風ファンとを備えた乗りかごにおいて、
前記送風ファンからの風は前記外天井板、前記天井内枠、前記側板で形成された空間を通して前記乗りかご内に供給され、
イオン発生装置は前記イオン発生装置の外形より大きな板体に固定され、前記天井内枠に設けられた前記イオン発生装置の外形よりも大きく前記板体よりも小さい切欠き穴を通して前記天井内枠の前記空間に対する裏面側から前記イオン発生装置を前記空間に位置させて固定され、前記内天井部を取外して乗りかご内から前記イオン発生装置にアクセス可能であることを特徴とする乗りかご。
【請求項２】
請求項１において、前記イオン発生装置は周囲を覆うカバー体に取付けられ、前記カバー体を前記板体に取付けることで、前記イオン発生装置が前記板体に固定されていることを特徴とする乗りかご。
【請求項３】
請求項１乃至２のいずれかにおいて、前記板体に点検用窓を設けたことを特徴とする乗りかご。
【請求項４】
請求項３において、前記板体に点検用窓は切欠きにより構成されており、前記点検用窓を開閉自在に覆う点検窓塞ぎ部材を設けたことを特徴とする乗りかご。
【請求項５】
昇降路内を昇降する乗りかごと、前記乗りかごを駆動する駆動装置とを備えたエレベーター装置において、
前記乗りかごは、かご床と、前記かご床の周囲に立設された側板と、前記側板上に設けられた外天井板と、前記外天井板の下方に前記側板と対向するように設けられた天井内枠と、前記天井内枠の下方側に設けられた内天井部と、前記外天井板の上方に設けられた送風ファンとを備え、
前記送風ファンからの風は前記外天井板、前記天井内枠、前記側板で形成された空間を通して前記乗りかご内に供給され、
イオン発生装置は前記イオン発生装置の外形より大きな板体に固定され、前記天井内枠に設けられた前記イオン発生装置の外形よりも大きく前記板体よりも小さい切欠き穴を通して前記天井内枠の前記空間に対する裏面側から前記イオン発生装置を前記空間に位置させて固定され、前記内天井部を取外して乗りかご内から前記イオン発生装置にアクセス可能であることを特徴とするエレベーター装置。
【手続補正２】
【補正対象書類名】明細書
【補正対象項目名】０００５
【補正方法】変更
【補正の内容】
【０００５】
置１５等は適用されるエレベーター装置ごとに外観の色彩を変更するとなると作業性が悪化してしまう。しかし、上記のようにカバー１６で囲む構成とすることで、カバー１６によって色彩を統一することができ、イオン発生装置１５等は適用されるエレベーター装置ごとに空間２５を囲む部材での色彩の統一が容易となり、より意匠性を向上することができる。
［００１４］
図５はかご室８の天井９の概要を示す正面断面図である。同図に示すように、外天井板１２の上方で、送風ファン１４の近傍には、イオン発生装置１５の電源装置２２が配置されている。また、外天井板１４の下面で、天井内枠１３と内天井部２１とで囲まれた空間内にはかご室内の照明装置２３が設けられている。本実施形態では、内天井部２１は照明装置２３を覆うアクリル板等で構成されており、天井内枠１３の下端で保持されている。
［００１５］
図６は図５におけるＡ部拡大図である。同図に示すように、本実施形態における天井内枠１３は天井部分から垂下する垂下部材１３ａと垂下部材１３ａの下部に取り付けられた内天井部保持部材１３ｂとから構成されている。そして内天井部２１は照明装置２３の保守や交換等で取外し可能となっている。
［００１６］
本実施形態では、イオン発生装置１５及びカバー１６の外形よりも大きく、取付板１８よりも小さい切欠き穴を垂下部材１３ａに設け、この切欠き穴を通して天井内枠１３の空間２５に対する裏面側、即ち内天井部２１が設けられた側の面からイオン発生装置１５を空間２５に位置させて、取付板１８と垂下部材１３ａの切欠き穴の周囲部分を重ね、この重なり部分をボルト等で共締めしてイオン発生装置ユニット１９を天井内枠１３に固定している。このような取付構造を採ることにより、エレベーターのサイズ、付加仕様機器位置によって、イオン発生装置１５と送風ファン１４の干渉の問題がある場合においても、乗りかご上寸法を変更することなくイオン発生装置１５を取付け可能とできる。
［００１７］
また、前述の構造において、天井内枠１３に設ける切欠き穴は天井内枠１３の任意の位置に設けることができ、イオン発生装置１５を切欠き穴より天
【国際調査報告】
2012127613.tif 000010
2012127613.tif 000011
2012127613.tif 000012
2012127613.tif 000013